(57)【要約】【課題】ヒートポンプ加熱温度を低下させた場合に、ヒートポンプ熱源による熱媒の加熱が一時的に停止してしまうことを防止することが可能な技術を提供する。【解決手段】本明細書が開示する暖房システムは、設定されたヒートポンプ加熱温度に基づいて熱媒を加熱するヒートポンプ熱源と、制御装置を備えている。制御装置は、ヒートポンプ熱源が動作していない場合に、ヒートポンプ加熱温度に応じたヒートポンプオン条件が満たされると、ヒートポンプ熱源による熱媒の加熱を開始する。制御装置は、ヒートポンプ熱源が動作している場合に、ヒートポンプ加熱温度に応じたヒートポンプオフ条件が満たされると、ヒートポンプ熱源による熱媒の加熱を停止する。制御装置は、ヒートポンプ熱源が動作しており、かつヒートポンプ加熱温度を低下させる際に、所定時間にわたって、ヒートポンプ熱源による熱媒の加熱を継続させる。【選択図】図１
2019128111.tif 000002
【特許請求の範囲】
【請求項１】
熱媒からの放熱により暖房する暖房端末に前記熱媒を供給する暖房システムであって、
設定されたヒートポンプ加熱温度に基づいて前記熱媒を加熱するヒートポンプ熱源と、
制御装置を備えており、
前記制御装置が、前記ヒートポンプ熱源が動作していない場合に、前記ヒートポンプ加熱温度に応じたヒートポンプオン条件が満たされると、前記ヒートポンプ熱源による前記熱媒の加熱を開始し、
前記制御装置が、前記ヒートポンプ熱源が動作している場合に、前記ヒートポンプ加熱温度に応じたヒートポンプオフ条件が満たされると、前記ヒートポンプ熱源による前記熱媒の加熱を停止し、
前記制御装置が、前記ヒートポンプ熱源が動作しており、かつ前記ヒートポンプ加熱温度を低下させる際に、所定時間にわたって、前記ヒートポンプ熱源による前記熱媒の加熱を継続させる、暖房システム。
【請求項２】
熱媒からの放熱により暖房する暖房端末に前記熱媒を供給する暖房システムであって、
設定されたヒートポンプ加熱温度に基づいて前記熱媒を加熱するヒートポンプ熱源と、
制御装置を備えており、
前記制御装置が、前記ヒートポンプ熱源が動作していない場合に、前記ヒートポンプ加熱温度に応じたヒートポンプオン条件が満たされると、前記ヒートポンプ熱源による前記熱媒の加熱を開始し、
前記制御装置が、前記ヒートポンプ熱源が動作している場合に、前記ヒートポンプ加熱温度に応じたヒートポンプオフ条件が満たされると、前記ヒートポンプ熱源による前記熱媒の加熱を停止し、
前記制御装置が、前記ヒートポンプ熱源が動作しており、かつ前記ヒートポンプ加熱温度を低下させる際に、前記ヒートポンプ加熱温度の低下に伴って前記ヒートポンプオフ条件が満たされる場合には、低下後の前記ヒートポンプ加熱温度に応じた前記ヒートポンプオフ条件を満たさない状態となるまで、前記ヒートポンプ熱源による前記熱媒の加熱を継続させる、暖房システム。
【請求項３】
前記制御装置は、前記暖房端末における暖房を開始した直後に行うホットダッシュ暖房制御と、前記ホットダッシュ暖房制御の後に行う通常暖房制御を実行可能であって、
前記ホットダッシュ暖房制御における前記ヒートポンプ加熱温度に比べて、前記通常暖房制御における前記ヒートポンプ加熱温度が低く設定される、請求項１または２の暖房システム。
【請求項４】
設定された燃焼加熱温度に基づいて前記熱媒を加熱する燃焼熱源をさらに備えており、
前記制御装置が、前記燃焼熱源が動作していない場合に、前記燃焼加熱温度に応じた燃焼オン条件が満たされると、前記燃焼熱源による前記熱媒の加熱を開始し、
前記制御装置が、前記燃焼熱源が動作している場合に、前記燃焼加熱温度に応じた燃焼オフ条件が満たされると、前記燃焼熱源による前記熱媒の加熱を停止する、請求項１から３の何れか一項の暖房システム。
【発明の詳細な説明】
【技術分野】
【０００１】
本発明は、暖房システムに関する。
【背景技術】
【０００２】
特許文献１には、熱媒からの放熱により暖房する暖房端末に熱媒を供給する暖房システムが開示されている。暖房システムは、設定されたヒートポンプ加熱温度に基づいて熱媒を加熱するヒートポンプ熱源と、制御装置を備えている。制御装置は、ヒートポンプ熱源が動作していない場合に、ヒートポンプ加熱温度に応じたヒートポンプオン条件が満たされると、ヒートポンプ熱源による熱媒の加熱を開始する。制御装置は、ヒートポンプ熱源が動作している場合に、ヒートポンプ加熱温度に応じたヒートポンプオフ条件が満たされると、ヒートポンプ熱源による熱媒の加熱を停止する。
【先行技術文献】
【特許文献】
【０００３】
【特許文献１】特開２０１７−０７８５４４号公報
【発明の概要】
【発明が解決しようとする課題】
【０００４】
ヒートポンプ熱源が動作している時に、ヒートポンプ加熱温度を低下させる場合がある。例えば、暖房端末における暖房を開始した直後には、ヒートポンプ加熱温度を高めに設定したホットダッシュ暖房制御を行い、その後はヒートポンプ加熱温度を低めに設定した通常暖房制御を行う場合、ホットダッシュ暖房制御から通常暖房制御に切り換える際に、ヒートポンプ熱源を動作させながら、ヒートポンプ加熱温度を低下させる必要がある。
【０００５】
このような場合に、上記のような暖房システムでは、ヒートポンプ加熱温度を低下させることに伴って、ヒートポンプオフ条件が変更されるので、ヒートポンプ加熱温度を低下させた直後にヒートポンプオフ条件が一時的に満たされてしまうことがあり、一時的にヒートポンプ熱源による熱媒の加熱が停止してしまうことがある。このように、一時的にヒートポンプ熱源による熱媒の加熱が停止してしまうと、ヒートポンプ熱源のエネルギー効率の低下や、暖房温度の変動を招いてしまう。ヒートポンプ加熱温度を低下させた場合に、ヒートポンプ熱源による熱媒の加熱が一時的に停止してしまうことを防止することが可能な技術が期待されている。
【課題を解決するための手段】
【０００６】
本明細書が開示する暖房システムは、熱媒からの放熱により暖房する暖房端末に熱媒を供給する。暖房システムは、設定されたヒートポンプ加熱温度に基づいて熱媒を加熱するヒートポンプ熱源と、制御装置を備えている。制御装置は、ヒートポンプ熱源が動作していない場合に、ヒートポンプ加熱温度に応じたヒートポンプオン条件が満たされると、ヒートポンプ熱源による熱媒の加熱を開始する。制御装置は、ヒートポンプ熱源が動作している場合に、ヒートポンプ加熱温度に応じたヒートポンプオフ条件が満たされると、ヒートポンプ熱源による熱媒の加熱を停止する。制御装置は、ヒートポンプ熱源が動作しており、かつヒートポンプ加熱温度を低下させる際に、所定時間にわたって、ヒートポンプ熱源による熱媒の加熱を継続させる。
【０００７】
上記の暖房システムによれば、ヒートポンプ加熱温度を低下させた場合に、所定時間にわたって、ヒートポンプ熱源による熱媒の加熱を継続させるので、ヒートポンプ熱源による熱媒の加熱が一時的に停止してしまうことを防止することができる。
【０００８】
本明細書が開示する別の暖房システムは、熱媒からの放熱により暖房する暖房端末に熱媒を供給する。暖房システムは、設定されたヒートポンプ加熱温度に基づいて熱媒を加熱するヒートポンプ熱源と、制御装置を備えている。制御装置は、ヒートポンプ熱源が動作していない場合に、ヒートポンプ加熱温度に応じたヒートポンプオン条件が満たされると、ヒートポンプ熱源による熱媒の加熱を開始する。制御装置は、ヒートポンプ熱源が動作している場合に、ヒートポンプ加熱温度に応じたヒートポンプオフ条件が満たされると、ヒートポンプ熱源による熱媒の加熱を停止する。制御装置は、ヒートポンプ熱源が動作しており、かつヒートポンプ加熱温度を低下させる際に、ヒートポンプ加熱温度の低下に伴ってヒートポンプオフ条件が満たされる場合には、低下後のヒートポンプ加熱温度に応じたヒートポンプオフ条件を満たさない状態となるまで、ヒートポンプ熱源による熱媒の加熱を継続させる。
【０００９】
上記の暖房システムによれば、ヒートポンプ加熱温度を低下させた場合に、低下後のヒートポンプ加熱温度に応じたヒートポンプオフ条件を満たさない状態となるまで、ヒートポンプ熱源による熱媒の加熱を継続させるので、ヒートポンプ熱源による熱媒の加熱が一時的に停止してしまうことを防止することができる。
【００１０】
上記の暖房システムでは、制御装置は、暖房端末における暖房を開始した直後に行うホットダッシュ暖房制御と、ホットダッシュ暖房制御の後に行う通常暖房制御を実行可能であってもよい。上記の暖房システムでは、ホットダッシュ暖房制御におけるヒートポンプ加熱温度に比べて、通常暖房制御におけるヒートポンプ加熱温度が低く設定されていてもよい。
【００１１】
ホットダッシュ暖房制御におけるヒートポンプ加熱温度に比べて、通常暖房制御におけるヒートポンプ加熱温度が低く設定されていると、ホットダッシュ暖房制御から通常暖房制御に切り換わる際に、ヒートポンプオフ条件が一時的に満たされてしまい、一時的にヒートポンプ熱源による熱媒の加熱が停止してしまうおそれがある。上記の暖房システムでは、ホットダッシュ暖房制御から通常暖房制御に切り換わる際に、ヒートポンプ熱源による熱媒の加熱を継続させるので、ヒートポンプ熱源による熱媒の加熱が一時的に停止してしまうことを防止することができる。
【００１２】
上記の暖房システムは、設定された燃焼加熱温度に基づいて熱媒を加熱する燃焼熱源をさらに備えていてもよい。制御装置は、燃焼熱源が動作していない場合に、燃焼加熱温度に応じた燃焼オン条件が満たされると、燃焼熱源による熱媒の加熱を開始してもよい。制御装置は、燃焼熱源が動作している場合に、燃焼加熱温度に応じた燃焼オフ条件が満たされると、燃焼熱源による熱媒の加熱を停止してもよい。
【００１３】
上記のように、ヒートポンプ熱源と燃焼熱源の両方を備える暖房システムでは、ヒートポンプ熱源によって熱媒を加熱した方が、燃焼熱源によって熱媒を加熱する場合に比べて、エネルギー効率は高くなる。しかしながら、ヒートポンプ熱源による熱媒の加熱が一時的に停止してしまうと、その後に燃焼熱源による加熱が必要となる事態が生じやすくなり、暖房システムのエネルギー効率が低下してしまう。上記の暖房システムによれば、ヒートポンプ加熱温度を低下させた場合に、ヒートポンプ熱源による熱媒の加熱が一時的に停止してしまうことを防止することができるので、その後に燃焼熱源による熱媒の加熱が必要となる事態が生じ難くなり、暖房システムのエネルギー効率を向上することができる。
【図面の簡単な説明】
【００１４】
【図１】実施例に係る暖房システム２を模式的に示す図である。
【図２】実施例に係る制御装置１８が、暖房運転において実行する処理を示すフローチャートである。
【図３】実施例に係る制御装置１８が、ホットダッシュ暖房制御において実行する処理を示すフローチャートである。
【図４】実施例に係る制御装置１８が、ホットダッシュ暖房制御、通常暖房制御における、ヒートポンプ熱源１６の動作制御において実行する処理を示すフローチャートである。
【図５】実施例に係る制御装置１８が、ホットダッシュ暖房制御における、燃焼熱源１４の動作制御において実行する処理を示すフローチャートである。
【図６】実施例に係る制御装置１８が、通常暖房制御において実行する処理を示すフローチャートである。
【図７】実施例に係る制御装置１８が、通常暖房制御における、燃焼熱源１４の動作制御において実行する処理を示すフローチャートである。
【発明を実施するための形態】
【００１５】
以下では図面を参照しながら、本実施例に係る暖房システム２について説明する。図１に示す暖房システム２は、低温暖房端末４および高温暖房端末６に、熱媒を供給する。低温暖房端末４および高温暖房端末６は、熱媒からの放熱によって室内を暖房する。熱媒は、例えば水または不凍液である。低温暖房端末４は、例えば床暖房機である。高温暖房端末６は、例えば浴室乾燥暖房機である。
【００１６】
暖房システム２は、シスターン１０と、循環ポンプ１２と、燃焼熱源１４と、ヒートポンプ熱源１６と、制御装置１８を備えている。
【００１７】
シスターン１０は、上部が開放されている容器であり、内部に熱媒を貯留している。シスターン１０の底部には、暖房往路２０の上流端が接続されている。暖房往路２０には、循環ポンプ１２が設けられている。循環ポンプ１２が駆動すると、シスターン１０の内部の熱媒が暖房往路２０へ送り出される。
【００１８】
暖房往路２０の下流端には、低温暖房往路２２の上流端と、第２暖房往路２４の上流端が接続されている。低温暖房往路２２には、低温暖房往きサーミスタ２６が設けられている。低温暖房往きサーミスタ２６は、低温暖房往路２２を流れる熱媒の温度を検出する。低温暖房往路２２の下流端には、低温暖房経路２８の上流端と、低温暖房バイパス路３０の上流端が接続されている。低温暖房経路２８には、熱動弁３２と、低温暖房端末４が設けられている。熱動弁３２は、低温暖房経路２８を開閉する。熱動弁３２が開かれると、低温暖房往路２２から低温暖房端末４に熱媒が供給される。低温暖房バイパス路３０には、熱動弁３４が設けられている。熱動弁３４は、低温暖房バイパス路３０を開閉する。低温暖房経路２８の下流端と、低温暖房バイパス路３０の下流端は、低温暖房復路３６の上流端に接続されている。
【００１９】
低温暖房復路３６には、低温暖房戻りサーミスタ３８が設けられている。低温暖房戻りサーミスタ３８は、低温暖房復路３６を流れる熱媒の温度を検出する。低温暖房復路３６の下流端には、三方弁４０が設けられている。三方弁４０には、ヒートポンプ往路４２の上流端と、ヒートポンプバイパス路４４の上流端が接続されている。三方弁４０は、低温暖房復路３６からヒートポンプ往路４２に流れる熱媒の流量と、低温暖房復路３６からヒートポンプバイパス路４４に流れる熱媒の流量の割合を調整可能である。
【００２０】
ヒートポンプ熱源１６は、ヒートポンプ往路４２の下流端から流入する熱媒を加熱して、ヒートポンプ復路４６の上流端に送り出す。ヒートポンプ熱源１６は、冷媒（例えばＲ４１０ＡといったＨＦＣ冷媒や、Ｒ７４４といったＣＯ２冷媒）を循環させるための冷媒循環路４８と、圧縮機５０と、凝縮器５２と、減圧機構５４と、蒸発器５６と、ファン５８を備えている。圧縮機５０は、気相状態の冷媒を加圧して凝縮器５２へ送り出す。凝縮器５２は、熱媒への放熱によって冷媒を凝縮させて、液相状態の冷媒を減圧機構５４へ送り出す。減圧機構５４は、例えば開度を調整可能な膨張弁であって、冷媒を減圧して蒸発器５６へ送り出す。蒸発器５６は、ファン５８によって送風される外気からの吸熱によって冷媒を蒸発させて、気相状態の冷媒を圧縮機５０へ送り出す。ヒートポンプ熱源１６においては、ヒートポンプ往路４２から送られた熱媒が凝縮器５２で加熱されて、加熱後の熱媒が凝縮器５２からヒートポンプ復路４６へ送り出される。
【００２１】
ヒートポンプ復路４６には、ヒートポンプ出湯サーミスタ６０が設けられている。ヒートポンプ出湯サーミスタ６０は、ヒートポンプ復路４６を流れる熱媒の温度を検出する。ヒートポンプ復路４６の下流端と、ヒートポンプバイパス路４４の下流端は、ヒートポンプ混合路６２の上流端に接続されている。ヒートポンプ混合路６２には、ヒートポンプ混合サーミスタ６４が設けられている。ヒートポンプ混合サーミスタ６４は、ヒートポンプ混合路６２を流れる熱媒の温度を検出する。ヒートポンプ混合路６２の下流端は、暖房復路６６の上流端に接続されている。暖房復路６６の下流端は、シスターン１０の底部に接続されている。
【００２２】
第２暖房往路２４の下流端は、燃焼熱源１４に接続されている。燃焼熱源１４には、高温暖房往路６８の上流端が接続されている。燃焼熱源１４は、バーナ７０と、熱交換器７２を備えている。バーナ７０は、都市ガス等の燃料を燃焼させる。熱交換器７２は、第２暖房往路２４から送られる熱媒をバーナ７０の燃焼熱によって加熱して、加熱後の熱媒を高温暖房往路６８へ送り出す。
【００２３】
高温暖房往路６８には、高温暖房往きサーミスタ７４が設けられている。高温暖房往きサーミスタ７４は、高温暖房往路６８を流れる熱媒の温度を検出する。高温暖房往路６８の下流端には、高温暖房経路７６の上流端と、高温暖房バイパス路７８の上流端が接続されている。高温暖房経路７６には、熱動弁８０と、高温暖房端末６が設けられている。熱動弁８０は、高温暖房経路７６を開閉する。熱動弁８０が開かれると、高温暖房往路６８から高温暖房端末６に熱媒が供給される。高温暖房バイパス路７８には、熱動弁８２が設けられている。熱動弁８２は、高温暖房バイパス路７８を開閉する。高温暖房経路７６の下流端と、高温暖房バイパス路７８の下流端は、高温暖房復路８４の上流端に接続されている。高温暖房復路８４の下流端は、暖房復路６６の上流端に接続されている。
【００２４】
制御装置１８は、暖房システム２の各構成要素の動作を制御する。
【００２５】
次に、本実施例の暖房システム２の動作について説明する。以下では、一例として、低温暖房端末４と高温暖房端末６が両方とも停止している状態から、低温暖房端末４について運転の開始の指示があった場合の暖房システム２の動作を、図２のフローチャートを参照しながら説明する。
【００２６】
ステップＳ２では、制御装置１８は、熱動弁３２、８２を開くとともに、熱動弁３４、８０を閉じる。
【００２７】
ステップＳ４では、制御装置１８は、低温暖房復路３６からの熱媒の全量がヒートポンプ往路４２へ流れるように、三方弁４０の開度を調整する。
【００２８】
ステップＳ６では、制御装置１８は、循環ポンプ１２を駆動する。これによって、シスターン１０の内部の熱媒が、暖房往路２０へ送り出される。暖房往路２０へ送り出された熱媒は、一部が低温暖房往路２２へ流れ、残りが第２暖房往路２４へ流れる。低温暖房往路２２へ流れた熱媒は、低温暖房経路２８を流れて低温暖房端末４へ流入する。低温暖房端末４から流出した熱媒は、低温暖房復路３６からヒートポンプ往路４２へ流れて、ヒートポンプ熱源１６へ流入する。ヒートポンプ熱源１６から流出した熱媒は、ヒートポンプ復路４６から暖房復路６６へ流れて、シスターン１０へ戻る。他方、第２暖房往路２４へ流れた熱媒は、燃焼熱源１４に流入する。燃焼熱源１４から流出した熱媒は、高温暖房往路６８から高温暖房バイパス路７８へ流れた後、高温暖房復路８４から暖房復路６６へ流れて、シスターン１０へ戻る。
【００２９】
ステップＳ８では、制御装置１８は、ホットダッシュ暖房制御を行う。以下では図３を参照して、制御装置１８が行うホットダッシュ暖房制御について説明する。
【００３０】
ステップＳ２２では、制御装置１８は、ヒートポンプ熱源１６についての加熱温度（以下ではヒートポンプ加熱温度ともいう）として、所定の第１温度（例えば９０℃）を設定する。
【００３１】
ステップＳ２４では、制御装置１８は、燃焼熱源１４についての加熱温度（以下では燃焼加熱温度ともいう）として、所定の第２温度（例えば８３℃）を設定する。
【００３２】
ステップＳ２６では、制御装置１８は、ヒートポンプ熱源１６の動作制御を行う。以下では図４を参照して、制御装置１８がステップＳ２６で行う処理について説明する。
【００３３】
ステップＳ３２では、制御装置１８は、ヒートポンプ熱源１６が駆動中か否かを判断する。ヒートポンプ熱源１６が駆動していない場合（ＮＯの場合）、処理はステップＳ３４へ進む。
【００３４】
ステップＳ３４では、制御装置１８は、低温暖房戻りサーミスタ３８で検出される温度が、ヒートポンプ加熱温度から所定の第１温度幅（例えば３℃）を減算した温度を下回るか否かを判断する。ステップＳ３４でＮＯの場合、図４の処理は終了する。ステップＳ３４でＹＥＳの場合、処理はステップＳ３６へ進む。
【００３５】
ステップＳ３６では、制御装置１８は、ヒートポンプ出湯サーミスタ６０で検出される温度が、ヒートポンプ加熱温度に所定の第２温度幅（例えば１℃）を加算した温度を下回るか否かを判断する。ステップＳ３６でＮＯの場合、図４の処理は終了する。ステップＳ３６でＹＥＳの場合、処理はステップＳ３８へ進む。
【００３６】
ステップＳ３８では、制御装置１８は、ヒートポンプ熱源１６を駆動して、ヒートポンプ熱源１６による熱媒の加熱を開始する。ステップＳ３８の後、処理はステップＳ４０へ進む。
【００３７】
なお、ステップＳ３２でヒートポンプ熱源１６が駆動中の場合（ＹＥＳの場合）は、ステップＳ３４、Ｓ３６、Ｓ３８をスキップして、処理はステップＳ４０へ進む。
【００３８】
ステップＳ４０では、制御装置１８は、ヒートポンプ出湯サーミスタ６０で検出される温度が、ヒートポンプ加熱温度に一致するように、ヒートポンプ熱源１６の加熱能力を調整する。
【００３９】
ステップＳ４２では、制御装置１８は、低温暖房戻りサーミスタ３８で検出される温度が、ヒートポンプ加熱温度から所定の第３温度幅（例えば０℃）を減算した温度以上であるか否かを判断する。ステップＳ４２でＹＥＳの場合、処理はステップＳ４６へ進む。ステップＳ４６では、制御装置１８は、ヒートポンプ熱源１６を停止して、ヒートポンプ熱源１６による熱媒の加熱を終了する。ステップＳ４６が実行されると、図４の処理は終了する。
【００４０】
ステップＳ４２でＮＯの場合、処理はステップＳ４４へ進む。ステップＳ４４では、制御装置１８は、ヒートポンプ出湯サーミスタ６０で検出される温度が、ヒートポンプ加熱温度に所定の第４温度幅（例えば１２℃）を加算した温度以上であるか否かを判断する。ステップＳ４４でＹＥＳの場合、処理はステップＳ４６へ進む。ステップＳ４６では、制御装置１８は、ヒートポンプ熱源１６を停止して、ヒートポンプ熱源１６による熱媒の加熱を終了する。ステップＳ４６が実行されると、図４の処理は終了する。なお、ステップＳ４４でＮＯの場合は、ステップＳ４６をスキップして、図４の処理は終了する。
【００４１】
図３に戻り、ステップＳ２８では、制御装置１８は、燃焼熱源１４の動作制御を行う。以下では図５を参照して、制御装置１８がステップＳ２８で行う処理について説明する。
【００４２】
ステップＳ５２では、制御装置１８は、燃焼熱源１４が駆動中か否かを判断する。燃焼熱源１４が駆動していない場合（ＮＯの場合）、処理はステップＳ５４へ進む。
【００４３】
ステップＳ５４では、制御装置１８は、高温暖房往きサーミスタ７４で検出される温度が、燃焼加熱温度から所定の第５温度幅（例えば１５℃）を減算した温度以下であるか否かを判断する。ステップＳ５４でＮＯの場合、図５の処理は終了する。ステップＳ５４でＹＥＳの場合、処理はステップＳ５６へ進む。
【００４４】
ステップＳ５６では、制御装置１８は、燃焼熱源１４を駆動して、燃焼熱源１４による熱媒の加熱を開始する。ステップＳ５６の後、処理はステップＳ５８へ進む。
【００４５】
なお、ステップＳ５２で燃焼熱源１４が駆動中の場合（ＹＥＳの場合）は、ステップＳ５４、Ｓ５６をスキップして、処理はステップＳ５８へ進む。
【００４６】
ステップＳ５８では、制御装置１８は、高温暖房往きサーミスタ７４で検出される温度が、燃焼加熱温度に一致するように、燃焼熱源１４の加熱能力を調整する。
【００４７】
ステップＳ６０では、制御装置１８は、高温暖房往きサーミスタ７４で検出される温度が、燃焼加熱温度に所定の第６温度幅（例えば７℃）を加算した温度以上であるか否かを判断する。ステップＳ６０でＹＥＳの場合、処理はステップＳ６２へ進む。ステップＳ６２では、制御装置１８は、燃焼熱源１４を停止して、燃焼熱源１４による熱媒の加熱を終了する。ステップＳ６２が実行されると、図５の処理は終了する。なお、ステップＳ６０でＮＯの場合は、ステップＳ６２をスキップして、図５の処理は終了する。
【００４８】
図３に戻り、ステップＳ３０では、制御装置１８は、暖房運転を開始してからの経過時間が、第１所定時間（例えば１０分間）に達したか否かを判断する。暖房運転を開始してからの経過時間が第１所定時間に達していない場合（ＮＯの場合）、処理はステップＳ２６へ戻る。暖房運転を開始してからの経過時間が第１所定時間に達した場合（ＹＥＳの場合）、図３のホットダッシュ暖房制御は終了する。
【００４９】
図２に戻り、ステップＳ１０では、制御装置１８は、通常暖房制御を行う。以下では図６を参照して、制御装置１８が行う通常暖房制御について説明する。
【００５０】
ステップＳ７２では、制御装置１８は、燃焼加熱温度として、第３温度（例えば４０℃）を設定する。
【００５１】
ステップＳ７２では、制御装置１８は、ホットダッシュ暖房制御から通常暖房制御に切り換わってからの経過時間に応じて、ヒートポンプ加熱温度を設定する。具体的には、ホットダッシュ暖房制御から通常暖房制御に切り換わってからの経過時間が第２所定時間（例えば１０分間）以上の場合、制御装置１８は、ヒートポンプ加熱温度として、第３温度（例えば４０℃）を設定する。これとは異なり、ホットダッシュ暖房制御から通常暖房制御に切り換わってからの経過時間が第２所定時間に満たない場合、制御装置１８は、低温暖房戻りサーミスタ３８で検出される温度に所定の第７温度幅（例えば１℃）を加算した温度と、ヒートポンプ出湯サーミスタ６０で検出される温度から所定の第８温度幅（例えば１０℃）を減算した温度のうち、高い方の温度を、ヒートポンプ加熱温度として設定する。
【００５２】
ステップＳ７６では、制御装置１８は、ヒートポンプ熱源１６の動作制御を行う。制御装置１８がステップＳ７６で行う処理は、図３のステップＳ２６で行う処理（図４を参照して説明した処理）と同様であるので、詳細な説明は省略する。なお、ステップＳ７４で、ヒートポンプ加熱温度が、低温暖房戻りサーミスタ３８で検出される温度に所定の第７温度幅（例えば１℃）を加算した温度と、ヒートポンプ出湯サーミスタ６０で検出される温度から所定の第８温度幅（例えば１０℃）を減算した温度のうち、高い方の温度に設定されている場合、図４のステップＳ４２、Ｓ４４の条件が満たされることがないので、図４のステップＳ４６のヒートポンプ熱源１６を停止する処理が実行されることはない。
【００５３】
ステップＳ７８では、制御装置１８は、燃焼熱源１４の動作制御を行う。以下では図７を参照して、制御装置１８が燃焼熱源１４の動作制御で行う処理について説明する。
【００５４】
ステップＳ８２では、制御装置１８は、燃焼熱源１４が駆動中か否かを判断する。燃焼熱源１４が駆動していない場合（ＮＯの場合）、処理はステップＳ８４へ進む。
【００５５】
ステップＳ８４では、制御装置１８は、低温暖房往きサーミスタ２６で検出される温度が、燃焼加熱温度から所定の第９温度幅（例えば１０℃）を減算した温度以下であるか否かを判断する。ステップＳ８４でＮＯの場合、図７の処理は終了する。ステップＳ８４でＹＥＳの場合、処理はステップＳ８６へ進む。
【００５６】
ステップＳ８６では、制御装置１８は、燃焼熱源１４を駆動して、燃焼熱源１４による熱媒の加熱を開始する。ステップＳ８６の後、処理はステップＳ８８へ進む。
【００５７】
なお、ステップＳ８２で燃焼熱源１４が駆動中の場合（ＹＥＳの場合）は、ステップＳ８４、Ｓ８６をスキップして、処理はステップＳ８８へ進む。
【００５８】
ステップＳ８８では、制御装置１８は、低温暖房往きサーミスタ２６で検出される温度が、燃焼加熱温度に一致するように、燃焼熱源１４の加熱能力を調整する。
【００５９】
ステップＳ９０では、制御装置１８は、低温暖房往きサーミスタ２６で検出される温度が、燃焼加熱温度に所定の第１０温度幅（例えば５℃）を加算した温度以上であるか否かを判断する。ステップＳ９０でＹＥＳの場合、処理はステップＳ９２へ進む。ステップＳ９２では、制御装置１８は、燃焼熱源１４を停止して、燃焼熱源１４による熱媒の加熱を終了する。ステップＳ９２が実行されると、図７の処理は終了する。なお、ステップＳ９０でＮＯの場合は、ステップＳ９２をスキップして、図７の処理は終了する。
【００６０】
図６に戻り、ステップＳ８０では、制御装置１８は、暖房運転の終了が指示されたか否かを判断する。暖房運転の終了が指示されていない場合（ＮＯの場合）、処理はステップＳ７４へ戻る。暖房運転の終了が指示された場合（ＹＥＳの場合）、図６の通常暖房制御は終了する。
【００６１】
図６の通常暖房制御において、仮に、ステップＳ７４で、ホットダッシュ暖房制御から通常暖房制御に切り換わった直後から、ヒートポンプ加熱温度を第３温度（例えば４０℃）に設定してしまうと、ヒートポンプ加熱温度を急激に下げることとなる。このため、後のステップＳ７６において、ヒートポンプ熱源１６による熱媒の加熱を終了する条件（図４のステップＳ４２、Ｓ４４の条件）がすぐに満たされてしまい、ヒートポンプ熱源１６がすぐに停止してしまう。この場合、その後に燃焼熱源１４による加熱が必要となる事態が生じやすくなり、暖房システム２のエネルギー効率が低下してしまう。これとは異なり、本実施例の暖房システム２では、図６のステップＳ７４において、ホットダッシュ暖房制御から通常暖房制御に切り換わってからの経過時間に応じて、ヒートポンプ加熱温度を設定する。これによって、ヒートポンプ熱源１６の加熱温度の急激な変化を抑制することができ、後のステップＳ７６において、ヒートポンプ熱源１６による熱媒の加熱がすぐに終了してしまう事態の発生を抑制することができる。ホットダッシュ暖房制御から通常暖房制御に切り換わった後も、所定時間にわたってヒートポンプ熱源１６による熱媒の加熱を継続することができる。これによって、その後に燃焼熱源１４による熱媒の加熱が必要となる事態が生じ難くなり、暖房システム２のエネルギー効率を向上することができる。
【００６２】
なお、本実施例の暖房システム２では、図６の通常暖房制御を実行中に、ヒートポンプ加熱温度を大きく変更する必要が生じた場合（例えば、低温暖房端末４と高温暖房端末６の両方で暖房を実行していて、ヒートポンプ加熱温度が第５温度（例えば６０℃）である状態から、高温暖房端末６での暖房について終了が指示され、ヒートポンプ加熱温度を第３温度（例えば４０℃）に変更する場合）についても、ステップＳ７４において、高温暖房端末６での暖房を終了してからの経過時間に応じて、ヒートポンプ加熱温度を設定する。このような構成とすることによって、ヒートポンプ加熱温度の急激な変化を抑制することができ、後のステップＳ７６において、ヒートポンプ熱源１６による熱媒の加熱がすぐに終了してしまう事態の発生を抑制することができる。高温暖房端末６での暖房が終了した後も、所定時間にわたってヒートポンプ熱源１６による熱媒の加熱を継続することができる。これによって、その後に燃焼熱源１４による熱媒の加熱が必要となる事態が生じ難くなり、暖房システム２のエネルギー効率を向上することができる。
【００６３】
なお、ホットダッシュ暖房制御から通常暖房制御に切り換わる際に、ステップＳ７２において、制御装置１８は、ヒートポンプ加熱温度を第３温度（例えば４０℃）に設定した場合の、後のステップＳ７６においてヒートポンプ熱源１６を停止させる条件が満たされなくなるまで、すなわち、低温暖房戻りサーミスタ３８で検出される温度が、第３温度（例えば４０℃）から所定の第３温度幅（例えば０℃）を減算した温度を下回り（図４のステップＳ４２でＮＯとなる条件）、かつヒートポンプ出湯サーミスタ６０で検出される温度が、第３温度（例えば４０℃）に所定の第４温度幅（例えば１２℃）を加算した温度を下回る（図４のステップＳ４４でＮＯとなる条件）までは、低温暖房戻りサーミスタ３８で検出される温度に所定の第７温度幅（例えば１℃）を加算した温度と、ヒートポンプ出湯サーミスタ６０で検出される温度から所定の第８温度幅（例えば１０℃）を減算した温度のうち、高い方の温度を、ヒートポンプ加熱温度として設定し、上記のヒートポンプ熱源１６を停止させる条件が満たされなくなった後は、ヒートポンプ加熱温度として、第３温度（例えば４０℃）を設定してもよい。このような構成とすることによって、ヒートポンプ加熱温度の急激な変化を抑制することができ、後のステップＳ７６において、ヒートポンプ熱源１６による熱媒の加熱がすぐに終了してしまう事態の発生を抑制することができる。高温暖房端末６での暖房が終了した後も、ある程度の時間にわたってヒートポンプ熱源１６による熱媒の加熱を継続することができる。これによって、その後に燃焼熱源１４による熱媒の加熱が必要となる事態が生じ難くなり、暖房システム２のエネルギー効率を向上することができる。
【００６４】
図２に戻り、ステップＳ１２では、制御装置１８は、循環ポンプ１２を停止する。
【００６５】
ステップＳ１４では、制御装置１８は、低温暖房復路３６からの熱媒の全量がヒートポンプバイパス路４４へ流れるように、三方弁４０の開度を調整する。
【００６６】
ステップＳ１６では、制御装置１８は、熱動弁３２、８２を閉じる。ステップＳ１６の後、図２の処理は終了する。
【００６７】
以上のように、一実施形態に係る暖房システム２は、熱媒からの放熱により暖房する低温暖房端末４、高温暖房端末６（暖房端末の例）に熱媒を供給する。暖房システム２は、設定されたヒートポンプ加熱温度に基づいて熱媒を加熱するヒートポンプ熱源１６と、制御装置１８を備えている。制御装置１８は、ヒートポンプ熱源１６が動作していない場合に、ヒートポンプ加熱温度に応じたヒートポンプオン条件（図４のステップＳ３４、Ｓ３６の条件）が満たされると、ヒートポンプ熱源１６による熱媒の加熱を開始する（図４のステップＳ３８）。制御装置１８は、ヒートポンプ熱源１６が動作している場合に、ヒートポンプ加熱温度に応じたヒートポンプオフ条件（図４のステップＳ４２、Ｓ４４の条件）が満たされると、ヒートポンプ熱源１６による熱媒の加熱を停止する（図４のステップＳ４６）。制御装置１８は、ヒートポンプ熱源１６が動作しており、かつヒートポンプ熱源１６の加熱温度を低下させる際に、第２所定時間（所定時間の例）にわたって、ヒートポンプ熱源１６による加熱を継続させる（図６のステップＳ７２、Ｓ７６）。
【００６８】
一実施形態に係る暖房システム２は、熱媒からの放熱により暖房する低温暖房端末４、高温暖房端末６（暖房端末の例）に熱媒を供給する。暖房システム２は、設定されたヒートポンプ加熱温度に基づいて熱媒を加熱するヒートポンプ熱源１６と、制御装置１８を備えている。制御装置１８は、ヒートポンプ熱源１６が動作していない場合に、ヒートポンプ加熱温度に応じたヒートポンプオン条件（図４のステップＳ３４、Ｓ３６の条件）が満たされると、ヒートポンプ熱源１６による熱媒の加熱を開始する（図４のステップＳ３８）。制御装置１８は、ヒートポンプ熱源１６が動作している場合に、ヒートポンプ加熱温度に応じたヒートポンプオフ条件（図４のステップＳ４２、Ｓ４４の条件）が満たされると、ヒートポンプ熱源１６による熱媒の加熱を停止する（図４のステップＳ４６）。制御装置１８は、ヒートポンプ熱源１６が動作しており、かつヒートポンプ熱源１６の加熱温度を低下させる際に、ヒートポンプ加熱温度の低下に伴ってヒートポンプオフ条件（図４のステップＳ４２、Ｓ４４の条件）が満たされる場合には、低下後のヒートポンプ加熱温度に応じたヒートポンプオフ条件（図４のステップＳ４２、Ｓ４４の条件）を満たさない状態となるまで、ヒートポンプ熱源１６による熱媒の加熱を継続させる（図６のステップＳ７２、Ｓ７６）。
【００６９】
一実施形態に係る暖房システム２では、制御装置１８は、低温暖房端末４における暖房を開始した直後に行うホットダッシュ暖房制御（図２のステップＳ６）と、ホットダッシュ暖房制御の後に行う通常暖房制御（図２のステップＳ８）を実行可能である。暖房システム２では、ホットダッシュ暖房制御におけるヒートポンプ加熱温度（第１温度（例えば９０℃））に比べて、通常暖房制御におけるヒートポンプ加熱温度（第３温度（例えば４０℃））が低く設定される。
【００７０】
一実施形態に係る暖房システム２は、設定された燃焼加熱温度に基づいて熱媒を加熱する燃焼熱源１４をさらに備えている。制御装置１８は、燃焼熱源１４が動作していない場合に、燃焼加熱温度に応じた燃焼オン条件（図５のステップＳ５４、図７のステップＳ８４の条件）が満たされると、燃焼熱源１４による熱媒の加熱を開始する（図５のステップＳ５６、図７のステップＳ８６）。制御装置１８は、燃焼熱源１４が動作している場合に、燃焼加熱温度に応じた燃焼オフ条件（図５のステップＳ６０、図７のステップＳ９０の条件）が満たされると、燃焼熱源１４による熱媒の加熱を停止する（図５のステップＳ６２、図７のステップＳ９２）。
【００７１】
以上、本発明の具体例を詳細に説明したが、これらは例示に過ぎず、特許請求の範囲を限定するものではない。特許請求の範囲に記載の技術には、以上に例示した具体例を様々に変形、変更したものが含まれる。本明細書または図面に説明した技術要素は、単独であるいは各種の組合せによって技術的有用性を発揮するものであり、出願時請求項記載の組合せに限定されるものではない。また、本明細書または図面に例示した技術は複数目的を同時に達成し得るものであり、そのうちの一つの目的を達成すること自体で技術的有用性を持つものである。
【符号の説明】
【００７２】
２      ：暖房システム
４      ：低温暖房端末
６      ：高温暖房端末
１０    ：シスターン
１２    ：循環ポンプ
１４    ：燃焼熱源
１６    ：ヒートポンプ熱源
１８    ：制御装置
２０    ：暖房往路
２２    ：低温暖房往路
２４    ：第２暖房往路
２６    ：低温暖房往きサーミスタ
２８    ：低温暖房経路
３０    ：低温暖房バイパス路
３２    ：熱動弁
３４    ：熱動弁
３６    ：低温暖房復路
３８    ：低温暖房戻りサーミスタ
４０    ：三方弁
４２    ：ヒートポンプ往路
４４    ：ヒートポンプバイパス路
４６    ：ヒートポンプ復路
４８    ：冷媒循環路
５０    ：圧縮機
５２    ：凝縮器
５４    ：減圧機構
５６    ：蒸発器
５８    ：ファン
６０    ：ヒートポンプ出湯サーミスタ
６２    ：ヒートポンプ混合路
６４    ：ヒートポンプ混合サーミスタ
６６    ：暖房復路
６８    ：高温暖房往路
７０    ：バーナ
７２    ：熱交換器
７４    ：高温暖房往きサーミスタ
７６    ：高温暖房経路
７８    ：高温暖房バイパス路
８０    ：熱動弁
８２    ：熱動弁
８４    ：高温暖房復路
【図１】
2019128111.tif 000003
【図２】
2019128111.tif 000004
【図３】
2019128111.tif 000005
【図４】
2019128111.tif 000006
【図５】
2019128111.tif 000007
【図６】
2019128111.tif 000008
【図７】
2019128111.tif 000009